(57)【特許請求の範囲】
【請求項１】
受信信号強度がスケルチオープンレベルを上回ればスケルチを開き、受信信号強度がスケルチクローズレベルを下回るとスケルチを閉じる無線機のスケルチ制御方法において、
受信信号強度を一定周期でチェックする第１の手段と、
この第１の手段で今回チェックした信号強度がスケルチオープンレベルを上回り、かつ前回チェックした信号強度を上回るとき、スケルチオープンレベル（固定）とスケルチクローズレベルの差であるヒステリシスを増大させる第２の手段と、
前記第１の手段で今回チェックした信号強度がスケルチオープンレベルを上回り、かつ前回チェックした信号強度を下回るがその差が一定のレベル以内のとき、前記ヒステリシスを減少させる第３の手段と、
前記条件以外のとき、前記ヒステリシスを一定に維持する第4の手段と
を具備することを特徴とする無線機のスケルチ制御方法。
【請求項２】
今回チェックした信号強度がスケルチクローズレベルを下回りスケルチを閉じたときは、ヒステリシスは０またはデフォルト値に戻ることを特徴とする請求項１に記載の無線機のスケルチ制御方法。
【発明の詳細な説明】
【０００１】
【発明の属する技術分野】
本発明は、無線機のスケルチ制御方法に関する。
【０００２】
【従来の技術】
無線機にはスケルチ回路が設けられる。このスケルチ回路は、受信信号が弱いとき、あるいは受信信号がないときに受信音声をミュートして（スケルチを閉じて）スピーカから雑音が聞こえないようにする回路である。
【０００３】
図７は、従来の無線機受信信号強度とマイコンスケルチ制御の関係を示す。このように、従来は、受信信号強度が無線機に設定された「スケルチ開放レベル−ヒステリシス」を一瞬でも下回ると、マイコンがスケルチを閉じて受信音声をミュートするようにしている。
【０００４】
【発明が解決しようとする課題】
しかしながら、上記のように受信信号強度が一瞬でもスケルチ開放レベルを下回るとスケルチを閉じ受信音声をミュートする方法では、車載用無線機等で移動しながら交信相手の音声を聞いているとき、建物の影等周囲の状況によって生じるフェージングにより一瞬信号強度がスケルチ開放レベルを下回ると、そのたびにマイコンが音声をミュートしてしまうので、交信が成り立たない（相手が何を言っているのか解らない）、もしくは頻繁に音声が途切れて不快であるという問題点があった。
【０００５】
本発明は上記の点に鑑みなされたもので、受信品質を向上させることができる無線機のスケルチ制御方法を提供することを目的とする。
【０００６】
【課題を解決するための手段】
上記課題を解決し上記目的を達成するために、本発明の無線機のスケルチ制御方法は、受信信号強度がスケルチオープンレベルを上回ればスケルチを開き、受信信号強度がスケルチクローズレベルを下回るとスケルチを閉じる無線機のスケルチ制御方法において、受信信号強度を一定周期でチェックする第１の手段と、この第１の手段で今回チェックした信号強度がスケルチオープンレベルを上回り、かつ前回チェックした信号強度を上回るとき、スケルチオープンレベル（固定）とスケルチクローズレベルの差であるヒステリシスを増大させる第２の手段と、前記第１の手段で今回チェックした信号強度がスケルチオープンレベルを上回り、かつ前回チェックした信号強度を下回るがその差が一定のレベル以内のとき、前記ヒステリシスを減少させる第３の手段と、前記条件以外のとき、前記ヒステリシスを一定に維持する第4の手段とを具備することを特徴とする。
【０００７】
上記無線機のスケルチ制御方法において、今回チェックした信号強度がスケルチクローズレベルを下回りスケルチを閉じたときは、ヒステリシスは０またはデフォルト値に戻ることが好ましい。
【０００８】
【発明の実施の形態】
次に添付図面を参照して本発明による無線機のスケルチ制御方法の実施の形態を詳細に説明する。図２は本発明のスケルチ制御方法の実施の形態を備えた無線機を示すブロック図である。このブロック図において、１１はアンテナ、１２は受信回路であり、この受信回路１２により受信信号の選択と増幅、検波が行われる。そして、検波により受信回路１２から出力される音声信号はフィルタ１３、ミュートスイッチ１４および増幅器１５を介してスピーカ１６に供給され、音声に変換される。また、受信信号強度を検出するための信号、具体的にはスケルチ検波電圧およびＲＳＳＩ（ＦＭリミッタ飽和状態表示電圧）のどちらか、または両方が受信回路１２から出力され、この信号がＡ／Ｄ変換器１７でＡ／Ｄ変換された上でＣＰＵ（マイコン）１８に供給される。そして、供給された信号から受信信号強度を検出して、ＣＰＵ１８により前記ミュートスイッチ１４を制御してスケルチ制御が実施される。ＣＰＵ１８には、後述する前回の信号レベルを記憶するメモリ１９が接続される。
【０００９】
上記の無線機においては、ＣＰＵ１８によりミュートスイッチ１４をオン、オフしてスケルチ制御が実施される。より詳細には、現在受信している信号の強度が図１の波形図のスケルチオープン（ＯＰＥＮ）レベルを上回れば、ＣＰＵ１８はミュートスイッチ１４をオンしてスケルチを開く。すると、音声信号がスピーカ１６に供給されるので、受信音声をスピーカ１６で聞くことができる。一方、現在受信している信号が図１のスケルチクローズ（ＣＬＯＳＥ）レベルを下回れば、ＣＰＵ１８はミュートスイッチ１４をオフしてスケルチを閉じる。これにより、スピーカ１６がオフして受信音声がミュートされる。
【００１０】
スケルチクローズレベルはスケルチオープンレベル（固定）より低く、両レベルの差をヒステリシスという。上記の無線機では、受信信号の強度によってヒステリシスを可変する（スケルチクローズレベルを変化させる）ことにより、受信品質を向上させることができる。この点を詳述すると以下の通りである。
【００１１】
（１）図１は、受信信号強度の変化と、ＣＰＵ１８がそれをチェックするタイミングの関係を示す図である。この図のＡ点からＫ点に示すように、ＣＰＵ１８はある一定周期（例えば３ｍＳｅｃ）で受信信号強度をチェックする。
（２）そして、▲１▼今回チェックした信号強度がスケルチオープンレベルを上回り、かつ前回チェックした信号強度を上回るとき、スケルチオープンレベル（固定）とスケルチクローズレベルの差であるヒステリシスを今回チェックした信号強度に見合う大きさに可変する。▲２▼今回チェックした信号強度がスケルチオープンレベルを上回り、かつ前回チェックした信号強度を下回るがその差が一定のレベル以内のとき、前記ヒステリシスを今回チェックした信号強度に見合う大きさに可変する。▲３▼前記条件以外のとき、前記ヒステリシスを一定に維持する。
（３）したがって、図１では、
Ａ点：スケルチオープンレベルを下回っているので、ヒステリシスは可変しない（Ａ′）。
Ｂ点：スケルチオープンレベルを上回り、前回の信号強度を上回っているので、ヒステリシスをＢ点のレベルに見合う大きさＢ′に可変する（増大させる）。Ｃ点〜Ｄ点：スケルチオープンレベルを上回ったまま、毎回、前回の信号強度を上回っているので、毎回ヒステリシスを各点のレベルに見合う大きさＣ′〜Ｄ′に可変する（増大させる）。
Ｅ点：スケルチオープンレベルを上回り、前回のレベルを下回っているがその差が一定のレベル以内なので、ヒステリシスをＥ点のレベルに見合う大きさＥ′に可変する（減少させる）。
Ｆ点：スケルチオープンレベルを上回り、前回のレベルを下回っているがその差が一定のレベルを超えているので、ヒステリシスは可変しない（Ｆ′）。
Ｇ点：スケルチオープンレベルを下回っているので、ヒステリシスは可変しない（Ｇ′）。
Ｈ点：スケルチオープンレベルを上回り、前回の信号強度を上回っているので、ヒステリシスをＨ点のレベルに見合う大きさＨ′に可変する（増大させる）。Ｉ点〜Ｊ点：スケルチオープンレベルを上回っているが、毎回、前回の信号強度と同じなので、毎回ヒステリシスは可変しない（Ｉ′〜Ｊ′）
Ｋ点：スケルチオープンレベルを上回り、前回のレベルを下回っているがその差が一定のレベル以内なので、ヒステリシスをＫ点のレベルに見合う大きさＫ′に可変する（減少させる）。
【００１２】
図３は上記のようなヒステリシス可変制御をより詳細に示すフローチャートでである。これを説明すれば、まずステップＳ１で受信信号をチェックし、その受信信号レベルを今回の信号レベルＸとする（ステップＳ２）。次に、その信号レベルＸがスケルチオープンレベルＳを上回るかステップＳ３で判断し、もし上回れば、続いて今回の信号レベルＸと前回の受信信号レベルＹの差が大であるかステップＳ４で判断する。そして、もしステップＳ４で“Ｎｏ”すなわち差が小（差が一定レベル以内）と判断されると、前述した丸１での条件（ただし、この場合はレベルＸとＹの差が小）と、丸２での条件を満足するので、ステップＳ６に進んで可変したヒステリシスを算出し、それを新規なヒステリシスＺとする。
【００１３】
一方、ステップＳ４で“Ｙｅｓ”すなわち差が大と判断されると、ステップＳ５に進んで今回の信号レベルＸが前回の信号レベルＹより大か判断され、もしそうであれば、前述した丸１での条件（ただし、この場合はレベルＸとＹの差が大）を満足するので、前記ステップＳ６に進んで前記と同様に可変したヒステリシスを算出し、それを新規なヒステリシスＺとする。そして、このようにして新規の可変したヒステリシスＺが算出されると、そのヒステリシスＺをスケルチオープンレベルＳ（固定）から減算して新規な可変したスケルチクローズレベルＴを求め、それを新規なスケルチクローズレベルとする（ステップＳ７）。また、今回の信号レベルＸを前回の信号レベルＹとして図２のメモリ１９に記憶させる。
【００１４】
なお、今回の信号レベルＸがスケルチオープンレベルＳを下回るとき、また今回の信号レベルＸがスケルチオープンレベルを上回るが、前回の信号レベルＹと同一のとき、さらには今回の信号レベルＸが前回の信号レベルＹを下回り、かつその差が一定レベルを超えるときはステップＳ６に進まず新規なヒステリシスを算出せず、ヒステリシスは可変されない。
【００１５】
また、今回の信号レベルＸがスケルチクローズレベルＴを下回りスケルチを閉じたときは、ヒステリシスは０またはデフォルト値に戻るようにする。
【００１６】
そして、上記のようなヒステリシス可変制御方法によれば、次のような効果を得ることができる。
（１）強い信号を受信していて一瞬信号が途切れるときは、図４に示すように、受信信号強度が急激に低下することで、ヒステリシスはＮの時点から再び受信信号強度がスケルチオープンレベルを上回るまで変化せず、受信信号強度がスケルチオープンレベルを下回っている間も、大きくとられたヒステリシスによりスケルチクローズレベルを下回らないのでスケルチは閉じず、相手の音声を聞き取ることができる。
（２）受信信号が徐々に弱くなるときは、図５に示すように、受信信号強度が緩やかに低下し、同時にヒステリシスも小さくなっていくので、スケルチオープンレベルを下回るのとほぼ同時にスケルチクロースレベルを下回り、即座にスケルチを閉じることができる。
（３）強い信号を受信していて急に信号が弱くなったとき、図６に示すように、受信信号強度が急激に低下することでＮの時点のままヒステリシスは変化しないので、Ｎの時点から変化しないスケルチクローズレベルを受信信号強度が下回らない間はスケルチを閉じない。すなわち、スケルチがバタつかない。
（４）上記（１）〜（３）により受信品質が向上する。
【００１７】
【発明の効果】
以上詳細に説明したように本発明の無線機のスケルチ制御方法によれば、受信信号の強度によってヒステリシスを可変することにより、受信品質を向上させることができる。
【図面の簡単な説明】
【図１】本発明による無線機のスケルチ制御方法の実施の形態を説明するための波形図。
【図２】本発明による無線機のスケルチ制御方法の実施の形態を備えた無線機を示すブロック図。
【図３】本発明による無線機のスケルチ制御方法の実施の形態を示すフローチャート。
【図４】本発明による無線機のスケルチ制御方法の効果を説明するための波形図。
【図５】本発明による無線機のスケルチ制御方法の効果を説明するための波形図。
【図６】本発明による無線機のスケルチ制御方法の効果を説明するための波形図。
【図７】従来の無線機受信信号強度とマイコンスケルチ制御の関係を示す波形図。
【符号の説明】
１４  ミュートスイッチ
１８  ＣＰＵ
１９  メモリ
【図１】
0003679334.tif 000002
【図２】
0003679334.tif 000003
【図３】
0003679334.tif 000004
【図４】
0003679334.tif 000005
【図５】
0003679334.tif 000006
【図６】
0003679334.tif 000007
【図７】
0003679334.tif 000008